(57)【要約】【課題】蝶ねじ等の特殊ねじを手動で締め付け可能なねじ用工具の構成を簡単にし、低コストで提供できるようにする。【解決手段】アンテナ装置に付属品として設けられるねじ用工具２は、蝶ねじ等の特殊ねじに設けられた摘み部を挿通して締め付けるための摘み部挿通孔２０、ボルト５６の頭部を挿通して締め付けるためのレンチ部４０、及び、Ｆ型コネクタを締め付けるためのスパナ部３０を、板状部材からなる工具本体１０に、一体的に形成することにより構成されている。また、摘み部挿通孔２０は、特殊ねじの摘み部を挿通できるように長孔になっており、その長手方向中央は、摘み部の中心部分を挿通できるように円形になっている。【選択図】図１
2015145030.tif 000002
【特許請求の範囲】
【請求項１】
雄ねじの頭部又は雌ねじ周囲の本体部から、当該ねじの回転中心軸を挟んで両側に、摘み部が突出された特殊ねじを手動操作するためのねじ用工具であって、
板状部材にて構成された工具本体の板面に、前記摘み部を挿通可能な長孔からなる摘み部挿通孔を備えたことを特徴とするねじ用工具。
【請求項２】
前記摘み部挿通孔の長手方向中央は、前記長孔の短手方向の間隙よりも径が大きく、前記摘み部が突出された前記特殊ねじの中心部分を挿通可能な円形に形成されていることを特徴とする請求項１に記載のねじ用工具。
【請求項３】
前記工具本体を構成する板状部材には、前記摘み部挿通孔が形成される部分が周囲の板面よりも高くなるよう、段差が形成されていることを特徴とする請求項１又は請求項２に記載のねじ用工具。
【請求項４】
前記工具本体は、長尺状の板状部材にて構成され、
前記摘み部挿通孔は、該工具本体の長手方向一端側に形成され、
前記工具本体を構成する板状部材は、前記摘み部挿通孔が形成される長手方向一端側の板面と、長手方向他端側の板面とが所定角度をなすよう、屈曲されていることを特徴とする請求項１〜請求項３の何れか１項に記載のねじ用工具。
【請求項５】
前記工具本体を構成する板状部材には、前記摘み部挿通孔とは異なる位置に、ボルト若しくはナットに嵌合可能な嵌合孔が形成されていることを特徴とする請求項１〜請求項４の何れか１項に記載のねじ用工具。
【発明の詳細な説明】
【技術分野】
【０００１】
本発明は、雄ねじの頭部又は雌ねじ周囲の本体部から摘み部が突出された特殊ねじを手動で締め付けるのに好適なねじ用工具に関する。
【背景技術】
【０００２】
従来、蝶ボルトや蝶ナットのように、雄ねじの頭部若しくは雌ねじ周囲の本体部から、ねじの回転中心軸を挟んで両側に摘み部が突出された特殊ねじが知られている。
この種の特殊ねじは、使用者が、摘み部を指若しくはペンチ等で挟み、捻ることにより、手動で簡単に締め付けることができる。
【０００３】
しかし、使用者が、摘み部を指で挟んで特殊ねじを締め付ける場合、特殊ねじを回転させる力（換言すれば締め付けトルク）が摘み部から直接指に加わるので、指を痛めることがある。
【０００４】
また、摘み部をベンチ等で挟んで特殊ねじを締め付ける際には、こうした問題を防止できるものの、使用者は、ペンチ等を持って摘み部を挟み、更に、特殊ねじを回転させる力を発生する必要があることから、特殊ねじの締め付けトルクを適正に調整することが難しいという問題がある。
【０００５】
つまり、この場合、締め付けトルクが大きくなりすぎ、締め付け対象となる製品若しくは特殊ねじを変形させてしまい、場合によっては製品若しくは特殊ねじを破損させてしまうことがある。
【０００６】
一方、こうした問題を防止するために、柄の回転操作力を一方向に限ってソケットに伝えるラチェット機構を有する工具（レンチ）に、蝶ねじの頭部を挿通可能で、内部に蝶ねじの摘み部と係合可能な溝が形成された蝶ねじ用ソケットを設けた、蝶ねじ用レンチが提案されている（例えば、特許文献１参照）。
【先行技術文献】
【特許文献】
【０００７】
【特許文献１】特開平１０−１５１５７５号公報
【発明の概要】
【発明が解決しようとする課題】
【０００８】
上記提案の蝶ねじ用レンチは、ラチェット機構を有することから、蝶ねじを締め付ける際の操作がし易く、蝶ねじの締め付けトルクも容易に調整できるものの、蝶ねじ用のソケットが必要になる。
【０００９】
そして、このソケットは、蝶ねじの頭部を挿入可能な円筒形状であり、その内壁面には、蝶ねじの頭部をどの角度から挿入しても摘み部と係合できるように、摘み部と係合可能な複数対の溝が形成される。
【００１０】
このため、上記提案の蝶ねじ用レンチは、構成が複雑で、製造コストが高くなるという問題があり、例えば、支柱への固定に蝶ねじを利用する電子機器（アンテナ等）の付属品として用いることはできなかった。
【００１１】
本発明は、こうした問題に鑑みなされたものであり、蝶ねじ等の特殊ねじを手動で締め付け可能なねじ用工具の構成を簡単にし、低コストで提供できるようにすることを目的とする。
【課題を解決するための手段】
【００１２】
かかる目的を達成するためになされた請求項１に記載の発明は、
雄ねじの頭部又は雌ねじ周囲の本体部から、当該ねじの回転中心軸を挟んで両側に、摘み部が突出された特殊ねじを手動操作するためのねじ用工具であって、
板状部材にて構成された工具本体の板面に、前記摘み部を挿通可能な長孔からなる摘み部挿通孔を備えたことを特徴とする。
【００１３】
また、請求項２に記載の発明は、請求項１に記載のねじ用工具において、
前記摘み部挿通孔の長手方向中央は、前記長孔の短手方向の間隙よりも径が大きく、前記摘み部が突出された前記特殊ねじの中心部分を挿通可能な円形に形成されていることを特徴とする。
【００１４】
また、請求項３に記載の発明は、請求項１又は請求項２に記載のねじ用工具において、
前記工具本体を構成する板状部材には、前記摘み部挿通孔が形成される部分が周囲の板面よりも高くなるよう、段差が形成されていることを特徴とする。
【００１５】
また、請求項４に記載の発明は、請求項１〜請求項３の何れか１項に記載のねじ用工具において、
前記工具本体は、長尺状の板状部材にて構成され、
前記摘み部挿通孔は、前記工具本体の長手方向一端側に形成され、
前記工具本体を構成する板状部材は、前記摘み部挿通孔が形成される長手方向一端側の板面と、長手方向他端側の板面とが所定角度をなすよう、屈曲されていることを特徴とする。
【００１６】
また、請求項５に記載の発明は、請求項１〜請求項４の何れか１項に記載のねじ用工具において、
前記工具本体を構成する板状部材には、前記摘み部挿通孔とは異なる位置に、ボルト若しくはナットに嵌合可能な嵌合孔が形成されていることを特徴とする。
【発明の効果】
【００１７】
請求項１に記載のねじ用工具は、特殊ねじの中心部分から外方向に突出した一対の摘み部を挿通可能な長孔を、摘み部挿通孔として、板状部材にて構成された工具本体の板面に設けることにより構成される。
【００１８】
このため、本発明のねじ用工具によれば、摘み部挿通孔に特殊ねじの頭部（詳しくは摘み部）を挿通して、工具本体を特殊ねじの中心軸回りに回転させることで、特殊ねじの締め付け（若しくは特殊ねじの取り外し）を行うことができる。
【００１９】
そして、本発明のねじ用工具は、工具本体となる板状部材に摘み部挿通孔を設けるだけで実現できるので、従来の蝶ねじ用ソケットに比べ、構成が極めて簡単になり、低コストで実現できる。
【００２０】
また、従来の蝶ねじ用ソケットは、ラチェット機構を有する柄に取り付けて使用されるが、本発明のねじ用工具は、工具本体を手持ち操作用の柄として利用することができる。
このため、本発明のねじ用工具によれば、工具単体で特殊ねじの締め付け（若しくは特殊ねじの取り外し）作業を行うことができ、柄に取り付ける必要のある蝶ねじ用ソケットに比べ、使い勝手を向上できる。
【００２１】
また、本発明のねじ用工具を使って、特殊ねじを締め付ける際には、摘み部挿通孔内に特殊ねじの摘み部を挿通して、工具本体を回転させることになるが、この回転操作時に工具本体の柄の部分から使用者の手に加わるのは、特殊ねじを回転させる力だけである。
【００２２】
このため、使用者は、従来の蝶ねじ用ソケットを利用する場合と同様、特殊ねじの締め付け時の締め付けトルクを、ねじ用工具を持つ手の感覚で容易に調整することができ、ペンチ等で特殊ねじを締め付けたときのように、締め付けトルクが大きくなりすぎ、締め付け対象となる製品若しくは特殊ねじを変形させてしまう、といったことを防止できる。
【００２３】
次に、請求項２に記載のねじ用工具においては、摘み部挿通孔の長手方向中央が、摘み部挿通孔を構成している長孔の短手方向の間隙よりも径が大きく、特殊ねじの中心部分を挿通可能な円形に形成されている。
【００２４】
このため、請求項２に記載のねじ用工具によれば、特殊ねじを締め付ける際に、摘み部挿通孔中央の円形部分に特殊ねじの中心部分を挿通することで、特殊ねじに対し、当該ねじ用工具を位置決めすることが可能となり、これによって、特殊ねじ締め付け時の作業性を向上することが可能となる。
【００２５】
また次に、請求項３に記載のねじ用工具においては、工具本体を構成する板状部材に、摘み部挿通孔が形成される部分が周囲の板面よりも高くなるよう、段差が形成されている。
【００２６】
従って、請求項３に記載のねじ用工具によれば、工具本体に形成された段差によって、摘み部挿通孔周囲の強度を高めることができると共に、特殊ねじの摘み部を摘み部挿通孔に案内することができる。
【００２７】
また次に、請求項４に記載のねじ用工具においては、摘み部挿通孔が、工具本体の長手方向一端側に形成されている。そして、工具本体を構成する板状部材は、摘み部挿通孔が形成される長手方向一端側の板面と、長手方向他端側の板面とが所定角度をなすよう、屈曲されている。
【００２８】
このため、請求項４に記載のねじ用工具によれば、特殊ねじの摘み部を摘み部挿通孔に通して特殊ねじを締め付ける際に、ねじ用工具の柄の部分を、特殊ねじの回転中心軸に対し直交する方向から使用者側に引き出し、特殊ねじの締め付け（若しくは特殊ねじの取り外し）作業をし易くできる。
【００２９】
また次に、請求項５に記載のねじ用工具においては、工具本体を構成する板状部材の摘み部挿通孔とは異なる位置に、ボルト若しくはナットに嵌合可能な嵌合孔が形成されている。
【００３０】
このため、請求項５に記載のねじ用工具によれば、特殊ねじの締め付けや取り外しに利用することができるだけでなく、一般的なボルトやナットの締め付け、取り外し等にも利用することができ、工具の用途を拡大できる。
【図面の簡単な説明】
【００３１】
【図１】実施形態のねじ用工具を表す斜視図である。
【図２】実施形態のねじ用工具を表し、（ａ）はその平面図、(ｂ)は（ａ）に示すＡ−Ａ断面図である。
【図３】実施形態のねじ用工具が付属品として添付されるアンテナ装置を表す説明図である。
【図４】本発明のねじ用工具を使用可能な特殊ねじの例を説明する説明図である。
【発明を実施するための形態】
【００３２】
以下に本発明の実施形態を図面と共に説明する。
本実施形態のねじ用工具２は、例えば、金属板をプレス加工することにより形成されており、図１、２に示すように、長尺状の板状部材からなる工具本体１０の長手方向一端側に、摘み部挿通孔２０及びスパナ部３０を備え、工具本体１０の長手方向他端側に、レンチ部４０を備える。
【００３３】
摘み部挿通孔２０は、図３に例示する蝶ナット７０のような特殊ねじにおいて、中心部分７２（詳しくは、雌ねじが形成されたナットの本体部部分、雄ねじが形成されたボルトの頭部等）から、ねじの回転中心軸を挟んで外方向に突出した摘み部７４、７５を挿通可能な長孔にて構成されている。
【００３４】
この長孔の長手方向の長さは、締付対象となる特殊ねじ（以下、本実施形態では図３に示す蝶ナット７０とする）の摘み部７４、７５の両端間の長さよりも長くなっており、短手方向の長さ（幅）は、摘み部７４、７５を挿通可能で、工具本体１０を蝶ナット７０の回転中心軸回りに回動させたときに摘み部７４、７５の板面に当たって、蝶ナット７０を回動可能な幅に設定されている。
【００３５】
また、摘み部挿通孔２０を構成する長孔の長手方向中央には、長孔の幅よりも径が大きく、摘み部７４、７５の中心部分７２の少なくとも一部を挿通可能な、円形の孔部２２が形成されている。
【００３６】
次に、スパナ部３０は、例えば、図３に示すアンテナ装置５０の出力端子であるＦ型接栓５８にＦ型コネクタ（図示せず）を螺合し、締め付けるのに用いられるものである。
このスパナ部３０は、摘み部挿通孔２０よりも工具本体１０の先端に配置されており、Ｆ型コネクタ等のナット形状の部材に対し、その回動中心軸と直交する方向から嵌合できるように、工具本体１０の先端側に開口している。
【００３７】
また、スパナ部３０及び摘み部挿通孔２０は、工具本体１０の長手方向一端側に設けられるが、これら各部が形成された工具本体１０の先端部分１２は、工具本体１０の中央の板面に対し所定角度α（図２（ｂ）参照：例えば１５０度）をなすよう屈曲されている。
【００３８】
また、そのように屈曲された工具本体１０の先端部分１２で、スパナ部３０及び摘み部挿通孔２０が形成された部分は、周囲の板面よりも高くなるよう、段差１４が形成されている。
【００３９】
なお、工具本体１０の先端部分１２を屈曲させているのは、使用者が工具本体１０の反対側を手に持ち、摘み部挿通孔２０若しくはスパナ部３０に対象物（蝶ナット７０、Ｆ型コネクタ等）を挿通若しくは嵌合して、その対象物の回転中心軸回りに工具本体１０を回動させる、一連の操作をし易くするためである。
【００４０】
つまり、工具本体１０の先端部分１２において、工具本体１０の中央の板面との角度が１８０度未満となる面が使用者側を向くようにすれば、蝶ナット７０やＦ型コネクタ等の対象物の締め付け作業（若しくは取り外し作業）がし易くなる。
【００４１】
そして、段差１４は、スパナ部３０及び摘み部挿通孔２０が形成された部分において、工具本体１０の中央の板面との角度が１８０度未満（α）となる面が、周囲の面よりも板面よりも高くなるようにされている。
【００４２】
一方、レンチ部４０は、例えば、図３に示すアンテナ装置５０における取付金具６０固定用のボルト５６等を締め付けるためのものであり、ボルト５６の頭部を外嵌可能に形成されている。
【００４３】
そして、レンチ部４０が設けられた工具本体１０の先端部分１６も、工具本体１０の中央の板面に対し、所定角度をなすように、摘み部挿通孔２０等が形成された先端部分１２と同方向に屈曲されている。
【００４４】
また、その屈曲部分を挟んで、工具本体１０の中央から一部を切り出し、レンチ部４０側に曲げ加工することにより、レンチ部４０に嵌合されたボルト５６の頭部に当接して、ボルト５６がレンチ部４０から抜けるのを防止する抜止防止片４２が設けられている。
【００４５】
なお、工具本体１０の先端部分１６を屈曲させているのは、使用者が工具本体１０の反対側を手に持ち、レンチ部４０にボルト５６の頭部を挿通して、ボルト５６回りに工具本体１０を回動させる一連の操作をし易くするためである。
【００４６】
そして、抜止防止片４２は、先端部分１６において、工具本体１０の中央の板面との角度が１８０度未満となる面側に設けられている。
また、工具本体１０の中央は、使用者が把持して操作し易いように、長手方向と直交する板面方向の長さ（幅）が狭くなっている。
【００４７】
次に、上記のように構成された本実施形態のねじ用工具２は、例えば、図３に示すアンテナ装置５０の付属品として使用される。
アンテナ装置５０は、ＵＨＦ帯のテレビ放送電波を受信するためのものであり、放射器及び反射器を、電波を透過可能な合成樹脂製で防水型のアンテナケース５２内に収納することにより構成されている。
【００４８】
ここで、アンテナケース５２内に収納される放射器は、金属板等からなる導電材料の薄板を、例えば金型を使って打ち抜き成形することにより構成されたスケルトンスロットアンテナにて構成されている。
【００４９】
また、反射器も、金属板等からなる導電材料の薄板を、例えば金型を使って所定の形状に打ち抜き成形することにより構成されている。そして、放射器及び反射器は、アンテナケース５２内に間隔を空けて対向配置される。
【００５０】
このため、アンテナケース５２は、厚みのない薄型の箱形状になっている。なお、こうした放射器及び反射器の構成については、本願出願人が出願した特開２０１２−１０３２８号公報等に記載されており、本願発明の主要部ではないので、詳細な説明は省略する。
【００５１】
次に、アンテナケース５２の裏面の下方の左右端部には、ボルト５６を介して取付金具６０を固定するための一対の金具固定部５３、５４が形成されている。
取付金具６０は、金具本体６２と、アンテナ装置５０を支柱等に固定するためのＵ字ボルト６４及び固定具６６と、Ｕ字ボルト６４の先端に螺合される一対の蝶ナット７０とを備える。
【００５２】
金具本体６２は、壁面に直接固定するためのねじ孔６２ａ、Ｕ字ボルト６４を挿通するための挿通孔６２ｂ、支柱に対し位置決めするための溝部６２ｃ、等が形成された矩形の金属板にて構成されている。
【００５３】
また、金具本体６２の長手方向両端で、短手方向一端側には、アンテナケース５２の裏面に設けられた金具固定部５３、５４の一方を挟持するための一対の挟持片６３（図３には一方の挟持片のみ記載）が設けられている。
【００５４】
そして、金具本体６２は、この一対の挟持片６３にて金具固定部５３（又は５４）を挟持させ、ボルト５６を、各挟持片６３に設けられた孔（図示せず）及び金具固定部５３（又は５４）に設けられた孔に通し、締め付けることにより、金具固定部５３（又は５４）に固定される。
【００５５】
以上説明したように、本実施形態のねじ用工具２においては、アンテナ装置５０の蝶ナット７０の頭部を挿通して締め付けるための摘み部挿通孔２０、アンテナ装置５０のボルト５６の頭部を挿通して締め付けるためのレンチ部４０、及び、アンテナ装置５０のＦ型接栓５８に接続されるＦ型コネクタを締め付けるためのスパナ部３０が、金属板のプレス加工等で、工具本体１０に一体形成されている。
【００５６】
このため、蝶ナット７０を締め付けるために蝶ねじ用ソケットを利用する従来の工具に比べて、構成が極めて簡単になり、低コストで実現できる。よって、本実施形態のねじ用工具２は、付属品としてアンテナ装置５０に添付するようにしても、アンテナ装置５０の大幅なコストアップを招くことなく、アンテナ装置５０の購入者に対するサービスを向上できる。
【００５７】
また、本実施形態のねじ用工具２は、工具本体１０が長尺形状であり、その長手方向一端側に、摘み部挿通孔２０及びスパナ部３０が設けられ、他端側にレンチ部４０が設けられているため、これら各部にて対象物を締め付ける際には、使用者は、工具本体１０の中央部分を柄として利用することができる。
【００５８】
このため、本実施形態のねじ用工具２は、従来の蝶ねじ用ソケットのように、操作用の柄を別途取り付けることなく、工具単体で蝶ナット７０の締め付け（若しくは取り外し）作業を行うことができ、蝶ねじ用ソケットに比べ、使い勝手を向上できる。
【００５９】
また、操作対象物である蝶ナット７０の締め付けトルクは、使用者の手に直接加わるので、使用者は、締め付けトルクを手で容易に調整することができ、ペンチ等で蝶ねじを締め付けたときのように、締め付けトルクが大きくなりすぎるのを防止できる。
【００６０】
特に本実施形態では、柄となる工具本体１０の中央部に対し、摘み部挿通孔２０やレンチ部４０が形成される先端部分１２、１４が所定角度となるよう、工具本体１０を屈曲させているので、使用者は、蝶ナット７０やボルト５６等の操作対象物に対して、回転操作がし易くなり、これによっても使い勝手を向上できる。
【００６１】
また、摘み部挿通孔２０の長手方向中央には、円形の孔部２２が形成されているため、蝶ナット７０等の特殊ねじを締め付ける際には、その孔部２２に特殊ねじの中心部分７２を挿通することで、特殊ねじに対し、ねじ用工具２を位置決めすることが可能となり、これによっても使い勝手を向上できる。
【００６２】
また、摘み部挿通孔２０が形成される工具本体の先端部分１２は、周囲の板面よりも高くなるように、段差１４が形成されていることから、この段差１４によって、摘み部挿通孔２０周囲の強度を高めることができると共に、蝶ナット７０等の特殊ねじの摘み部７４、７５を摘み部挿通孔２０に案内することができる。
【００６３】
以上、本発明の一実施形態について説明したが、本発明は上記実施形態に限定されるものではなく、本発明の要旨を逸脱しない範囲内にて、種々の態様をとることができる。
例えば、上記実施形態では、ねじ用工具２の操作性を向上するために、摘み部挿通孔２０が形成される先端部分１２の板面が、工具本体１０の中央の板面に対し所定角度αをなすよう、工具本体１０を屈曲させているが、こうした屈曲加工は必ずしもする必要はない。
【００６４】
また、上記実施形態では、アンテナ装置５０の設置する際に締め付けが必要なボルトやＦ型コネクタについても締め付けができるように、ねじ用工具２には、摘み部挿通孔２０に加えて、レンチ部４０及びスパナ部３０を設けるものとしたが、板状部材からなる工具本体１０に摘み部挿通孔２０だけを設けたものであっても、本発明の所期の目的を達成できる。
【００６５】
また、上記実施形態では、ねじ用工具２に設けられた摘み部挿通孔２０は、アンテナ装置５０に設けられた蝶ナット７０を締め付けるのに利用されるものとして説明したが、本発明のねじ用工具は、摘み部挿通孔の大きさを適宜設定することで、蝶ナットや蝶ボルト等の蝶ねじだけでなく、摘み部を備えた他の特殊ねじであっても利用することができる。
【００６６】
つまり、雄ねじの頭部若しくは雌ねじ周囲の本体部から回転中心軸を挟んで両側に摘み部が突出された特殊ねじとしては、図４（ａ）に例示するように、摘み部７６が円環状に形成されたアイボルト８２、図４（ｂ）に例示するように、摘み部７４、７５及びその中心部分７２からなる頭部が合成樹脂にて構成された手回しねじ８４、図４（ｃ）に例示するように、摘み部７４、７５及び中心部分７２からなる頭部が所定のキャラクタ形状をした手回しねじ８６、等が知られているが、本発明のねじ用工具は、これらの特殊ねじの締め付け・取り外しにも利用できる。
【符号の説明】
【００６７】
２…ねじ用工具、１０…工具本体、１４…段差、２０…摘み部挿通孔、２２…孔部、３０…スパナ部、４０…レンチ部、４２…抜止防止片、５０…アンテナ装置、５２…アンテナケース、５３，５４…金具固定部、５６…ボルト、５８…Ｆ型接栓、６０…取付金具、６２…金具本体、６２ａ…ねじ孔、６２ｂ…挿通孔、６２ｃ…溝部、６３…挟持片、６４…Ｕ字ボルト、６６…固定具、７０…蝶ナット、７２…中心部、７４，７５，７６…摘み部、８２…アイボルト、８４，８６…手回しねじ。
【図１】
2015145030.tif 000003
【図２】
2015145030.tif 000004
【図３】
2015145030.tif 000005
【図４】
2015145030.tif 000006